(57)【要約】本発明の一形態は、矯正ワイヤの挿入のためのスロット(Slot)が形成されたブラケット胴体と、前記ブラケット胴体に装着されて前記スロットの入口を開閉するブラケットカバーと、そして前記ブラケットカバーに具備され、前記矯正ワイヤを前記スロットに拘束するために前記スロットを選択的に遮断するワイヤ結紮部材を含む。本発明によれば矯正ワイヤの力、例えばトルク(Torque)が歯牙に正確に伝達されることができるし、スロットの開閉によるワイヤ結紮部材の変形や損傷その他の故障要因が最小化または防止されることができるし、アクティブタイプの自家結紮ブラケットとパッシブタイプの自家結紮ブラケットの長所が共に具現されることができる。
2021526392.tif 000002
【特許請求の範囲】
【請求項１】
矯正ワイヤの挿入のためのスロット(Slot)が形成されたブラケット胴体と、
前記ブラケット胴体に装着されて前記スロットの入口を開閉するブラケットカバーと、そして
前記ブラケットカバーに具備され、前記矯正ワイヤを前記スロットに拘束するために前記スロットを選択的に遮断するワイヤ結紮部材を含む歯科矯正用ブラケット。
【請求項２】
前記ブラケットカバーは、前記ブラケット胴体に移動可能に具備されることを特徴とする請求項１に記載の歯科矯正用ブラケット。
【請求項３】
前記ブラケットカバーは、前記ブラケット胴体にスライディング移動可能に具備されて前記スロットを開閉し、前記ブラケット胴体は、前記ブラケットカバーを支持して前記ブラケットカバーのスライディング移動を案内し、前記ブラケットカバーが前記ブラケット胴体で前記ブラケット胴体の厚さ方向にはげることを防止することを特徴とする請求項２に記載の歯科矯正用ブラケット。
【請求項４】
前記ブラケット胴体には、前記ブラケットカバーの移動を案内して前記ブラケットカバーが前記ブラケット胴体からはげることを防止するガイドレールが具備され、前記ガイドレールは、前記ブラケット胴体の両側に形成されることを特徴とする請求項３に記載の歯科矯正用ブラケット。
【請求項５】
前記ブラケット胴体は、前記スロットを有するワイヤ支持体(Wire Supporter)を含んで、前記ワイヤ支持体の一側には歯面に付着可能なベースが具備されることを特徴とする請求項４に記載の歯科矯正用ブラケット。
【請求項６】
前記ワイヤ支持体は、
前記ブラケットカバーによって覆われて前記ブラケットカバーを支持して前記スロットの一側壁を形成する第１胴体部と、
前記第１胴体部の反対側に具備されて前記スロットの他側壁を形成する第２胴体部と、を含むことを特徴とする請求項５に記載の歯科矯正用ブラケット。
【請求項７】
前記第１胴体部は、前記ブラケットカバーの位置を維持する係止部を含むことを特徴とする請求項６に記載の歯科矯正用ブラケット。
【請求項８】
前記係止部は、前記ブラケットカバーの閉鎖状態と開かれた状態でそれぞれ前記ブラケットカバーの後退を制限することを特徴とする請求項７に記載の歯科矯正用ブラケット。
【請求項９】
前記係止部は、前記ブラケットカバーの閉鎖位置で前記ブラケットカバーの開放防止のために前記ブラケットカバーの後退を制限する第１係止部と、前記ブラケットカバーの開放位置で前記ブラケットカバーの後退を制限する第２係止部と、を含むことを特徴とする請求項８に記載の歯科矯正用ブラケット。
【請求項１０】
前記ブラケットカバーとワイヤ結紮部材は一体に挙動し、前記係止部は、前記ワイヤ結紮部材をかけて前記ワイヤ結紮部材を媒介で前記ブラケットカバーに位置拘束力を加えることを特徴とする請求項７乃至請求項９のうちで何れか一つに記載の歯科矯正用ブラケット。
【請求項１１】
前記係止部は、前記第１胴体部の表面に少なくとも一つの係止突起を形成することを特徴とする請求項１０に記載の歯科矯正用ブラケット。
【請求項１２】
前記ワイヤ結紮部材は、前記矯正ワイヤを加圧する弾性結紮部材を含んで、前記弾性結紮部材は、前記係止部にかかるように前記第１胴体部に向かってそびえた弾性突出部と、前記矯正ワイヤを前記スロットの内側に加圧するためのワイヤ加圧部を有する弾性部材を含んで、前記弾性突出部は前記ブラケットカバーの開閉時に前記係止部によって押されて弾性変形可能なことを特徴とする請求項１１に記載の歯科矯正用ブラケット。
【請求項１３】
前記第２胴体部は、
前記スロットの他側壁を形成する前記第２胴体部の一側面に形成されて前記弾性結紮部材のワイヤ加圧部が挟まれる結紮溝を含むことを特徴とする請求項１２に記載の歯科矯正用ブラケット。
【請求項１４】
前記第１胴体部と第２胴体部は、前記第１胴体部と第２胴体部を連結して前記スロットの基底面を形成する底胴体で突き出され、前記ガイドレールは、前記第１胴体部の両側下端部に形成されることを特徴とする請求項６に記載の歯科矯正用ブラケット。
【請求項１５】
前記ブラケットカバーは、前記第１胴体部の上側を覆うカバー本体と、前記カバー本体の両側でそれぞれ前記底胴体に向けて形成されるカバーウイングを含んで、前記カバーウイングの下端部には前記ガイドレールに噛み合われるレール咬合部が形成されることを特徴とする請求項１４に記載の歯科矯正用ブラケット。
【請求項１６】
前記ガイドレールは、前記第１胴体部の両側面の下端部に沿って前記ブラケットカバーのスライディング方向に長く形成されるレール溝を含むことを特徴とする請求項１５に記載の歯科矯正用ブラケット。
【請求項１７】
前記ワイヤ結紮部材は、前記ブラケットカバーの内部で前記矯正ワイヤを拘束するために前記スロットを選択的に遮断可能なことを特徴とする請求項１乃至請求項９のうちで何れか一つに記載の歯科矯正用ブラケット。
【請求項１８】
前記ワイヤ結紮部材は、前記ブラケットカバーの内部に具備されて弾性を有することを特徴とする請求項１７に記載の歯科矯正用ブラケット。
【請求項１９】
前記ワイヤ結紮部材は、前記ブラケットカバーと一体で挙動し、前記ブラケットカバーが前記スロットを閉める時に前記ブラケットカバーの内部で前記スロットを遮断することを特徴とする請求項１７に記載の歯科矯正用ブラケット。
【請求項２０】
前記ワイヤ結紮部材は、所定太さ以上の矯正ワイヤをスロットの基底面に密着させるために、前記スロットを遮断して前記矯正ワイヤを前記スロットの内側に加圧することを特徴とする請求項１９に記載の歯科矯正用ブラケット。
【請求項２１】
前記ワイヤ結紮部材はプレート(Plate)形状を有する弾性部材であり、前記ワイヤ結紮部材のワイヤ加圧部が前記ブラケットカバーと共に前記スロットを選択的に遮断することを特徴とする請求項２０に記載の歯科矯正用ブラケット。
【請求項２２】
前記ブラケットカバーは、前記スロットを閉めて前記歯科矯正ブラケットの表面を丸く曲面で形成することを特徴とする請求項１に記載の歯科矯正用ブラケット。
【発明の詳細な説明】
【技術分野】
【０００１】
本発明は、歯科矯正術(歯列矯正手術)に使用される歯科矯正用ブラケットに関するものであり、より詳細には、矯正ワイヤが挟まれるスロットを開閉することができるし、矯正ワイヤをスロット内に安定的に拘束することができる構造の歯科矯正用ブラケットに関するものである。
【背景技術】
【０００２】
歯科矯正術(Orthodontic、歯列矯正)は、歯列が拗くれた歯牙、突き出口、不正咬合である歯牙を固定式、あるいは仮綴式補綴装置を利用して均一にしてくれる手術を言う。前述した歯列矯正は、日常生活に不便である程度に均一でない歯列を正しく直してくれる医学的機能と、捻れた歯牙を直して美しい顔で作ってくれる美容的機能を共に有している。
【０００３】
歯列矯正器具の材料としては、メタルがたくさん使用されるが近来にはセラミックスも多く使用されている。例えば、歯列矯正のために前歯部にはセラミックス材質のブラケットが付着され、臼歯、すなわち臼歯部にはメタル材質のブラケットが使用されることもあるが、セラミックス材質のブラケットを使用する場合メタル材質に比べて費用が増加する。
【０００４】
前記ブラケット(Bracket)は上述したように歯列矯正のために使用される歯科矯正器具として、矯正対象歯牙らの歯面にブラケットが付着され、前記ブラケットのスロットに弧線ワイヤなどのような矯正ワイヤが挟まれて結紮され、前記矯正ワイヤのトルク(Torque)が上述したブラケットを通じて矯正対象歯牙に持続的に伝達されながら歯列の矯正が進行される。
【０００５】
前述したように、一般的な歯列矯正手術のためにブラケット(bracket)と矯正ワイヤ(Wire)が使用され、前記ブラケットは歯面(歯牙の表面)に固定された状態で上述した矯正ワイヤを支持し、矯正ワイヤで発現される矯正力は各歯牙のブラケットを通じて歯牙に伝達される。
【０００６】
そして、前記ブラケットすなわち、歯列矯正用ブラケットは一般的に歯科用接着レジン(Resin)によって歯面に付着される。一般的なブラケットは前記矯正ワイヤが挟まれるようにブラケットの前面に形成されたスロット(Slot)を有するスロット型構造として、歯面にブラケットベースが付着され、スロットの角度は正確な矯正のために非常に重要である。
【０００７】
前記ブラケットのスロットに挟まれる矯正ワイヤ(Wire)の結紮のために一般的なブラケットにはウイング(Wing)が具備される。したがって、ブラケットのスロットに矯正ワイヤが挟まれた後に、ワイヤ結束部材、例えば結紮用ゴム紐が前記ウイングに絡められて矯正ワイヤの離脱を防止するようになる。
【０００８】
通常のブラケットは、ゴム紐結束のためのウイングとスロットを有するブラケット胴体と、ブラケット胴体を支持するブラケットベースを含む。そして、前記ブラケットの一種である自家結紮ブラケット(Self Ligature Bracket)は、スロットを有するブラケット胴体にクリップ形態のワイヤ結紮部材を結合して前記矯正ワイヤの離脱を防止し、前記ワイヤ結紮部材が前記スロットを開閉することができる。
【発明の詳細な説明】
【０００９】
【技術的課題】
【００１０】
本発明は矯正ワイヤをスロット内に安定的に拘束することができるし、矯正ワイヤの力を歯牙に正確に持続的に伝達することができる歯科矯正用ブラケットを提供することにその目的がある。
【技術的解決方法】
【００１１】
本発明の一形態は、矯正ワイヤの挿入のためのスロット(Slot)が形成されたブラケット胴体と、前記ブラケット胴体に装着されて前記スロットの入口を開閉するブラケットカバーと、そして前記ブラケットカバーに具備され、前記矯正ワイヤを前記スロットに拘束するために前記スロットを選択的に遮断するワイヤ結紮部材を含む歯科矯正用ブラケットを提供する。
【００１２】
前記ブラケットカバーは、前記ブラケット胴体に移動可能に具備されて前記スロットを入口を開閉することができる。
【００１３】
前記ブラケットカバーは、前記ブラケット胴体にスライディング移動可能に具備されて前記スロットを開閉し、前記ブラケット胴体は、前記ブラケットカバーを支持して前記ブラケットカバーのスライディング移動を案内し、前記ブラケットカバーが前記ブラケット胴体で前記ブラケット胴体の厚さ方向にはげることを防止することができる。例えば、前記ブラケット胴体は、前記ブラケットカバーがスライディング移動中に前記ブラケット胴体で前記ブラケット胴体の厚さ方向に分離されることを防止する。
【００１４】
前記ブラケット胴体には、前記ブラケットカバーの移動を案内して前記ブラケットカバーが前記ブラケット胴体からはげることを防止するガイドレールが具備され、前記ガイドレールは、前記ブラケット胴体の両側に形成されることができる。
【００１５】
前記ブラケット胴体は、前記スロットを有するワイヤ支持体(Wire Supporter)を含んで、前記ワイヤ支持体の一側には歯面に付着可能なベースが具備される。
【００１６】
前記ワイヤ支持体は、前記ブラケットカバーによって覆われて前記ブラケットカバーを支持して前記スロットの一側壁を形成する第１胴体部と、前記第１胴体部の反対側に具備されて前記スロットの他側壁を形成する第２胴体部を含む。
【００１７】
前記第１胴体部は、前記ブラケットカバーの位置を維持する係止部を含む。そして前記係止部は、前記ブラケットカバーの閉鎖状態と開かれた状態でそれぞれ前記ブラケットカバーの後退を制限するストッパ(Stopper)である。
【００１８】
前記係止部は、前記ブラケットカバーの閉鎖位置で前記ブラケットカバーの開放防止のために前記ブラケットカバーの後退を制限する第１係止部と、前記ブラケットカバーの開放位置で前記ブラケットカバーの後退を制限する第２係止部を含むことができる。
【００１９】
前記ブラケットカバーとワイヤ結紮部材は一体で挙動することができるし、前記係止部は、前記ワイヤ結紮部材をかけて前記ワイヤ結紮部材を媒介で前記ブラケットカバーに位置拘束力を加えることができる。
【００２０】
前記係止部は、前記第１胴体部の表面で前記ブラケットカバーに向けてふくらんでいる係止突起を形成することができる。すなわち、前記係止部は、前記第１胴体部の表面に少なくとも一つの係止突起を形成することができる。そして、前記ワイヤ結紮部材は、前記矯正ワイヤを加圧する弾性結紮部材を含むことができる。
【００２１】
前記弾性結紮部材は、前記係止部にかかるように前記第１胴体部に向かってそびえた弾性突出部と、前記矯正ワイヤを前記スロットの内側に加圧するためのワイヤ加圧部を有する弾性部材を含んで、前記弾性突出部は、前記ブラケットカバーの開閉時に前記係止部によって押されて弾性変形されることができる。
【００２２】
前記第２胴体部は、前記スロットの他側壁を形成する前記第２胴体部の一側面に形成されて前記弾性結紮部材のワイヤ加圧部が挟まれる結紮溝を含むことができる。
【００２３】
前記第１胴体部と第２胴体部は、前記第１胴体部と第２胴体部を連結して前記スロットの基底面を形成する底胴体で突き出され、前記ガイドレールは、前記第１胴体部の両側下端部に形成されることができる。
【００２４】
前記ブラケットカバーは、前記第１胴体部の上側を覆うカバー本体と、前記カバー本体の両側でそれぞれ前記底胴体に向けて形成されるカバーウイングを含んで、前記カバーウイングの下端部には前記ガイドレールに噛み合われるレール咬合部が形成される。
【００２５】
前記ガイドレールは、前記第１胴体部の両側面下端部に沿って前記ブラケットカバーのスライディング方向に長く形成されるレール溝を含むことができる。
【００２６】
前記ワイヤ結紮部材は、前記ブラケットカバーの内部で前記矯正ワイヤを拘束するために前記スロットを選択的に遮断可能である。前記ワイヤ結紮部材は、前記ブラケットカバーの内部に具備されて弾性を有することが良い。
【００２７】
前記ワイヤ結紮部材は前記ブラケットカバーと一体で挙動し、前記ブラケットカバーが前記スロットを閉める時に前記ブラケットカバーの内部で前記スロットを遮断する。すなわち、前記ブラケットカバーと前記ワイヤ結紮部材は同時に共に前記スロットを遮断する。
【００２８】
前記ワイヤ結紮部材は、所定太さ以上の矯正ワイヤをスロットの基底面に密着させるために、前記スロットを遮断して前記矯正ワイヤを前記スロットの内側に加圧することができる。
【００２９】
前記ワイヤ結紮部材はプレート(Plate)形状を有する弾性部材であり、前記ワイヤ結紮部材のワイヤ加圧部が前記ブラケットカバーと共に前記スロットを選択的に遮断することができる。
【００３０】
前記ブラケットカバーは、前記スロットを閉めて前記歯科矯正用ブラケットの表面を丸く曲面で形成する。より具体的に、前記ブラケットカバーが閉まれば前記歯科矯正用ブラケットのわくと前面がふくらんでいる丸い曲面、例えば球形曲面または楕円体曲面などの形状になる。
【００３１】
［発明の効果］
本発明による歯科矯正用ブラケットは次のような利点を有する。
第一、本発明によれば矯正ワイヤの力、例えばトルク(Torque)が歯牙に正確に持続的に伝達することができるし、スロットの開閉によるワイヤ結紮部材の変形や損傷その他の故障要因が最小化または防止されることができる。
第二、本発明によれば、ブラケット胴体を覆うブラケットカバーに弾性のワイヤ結紮部材が具備され、ブラケットカバーにワイヤ結紮部材が搭載されてブラケットカバーと一体で挙動するので、矯正ワイヤの結紮及び解除のためのスロットの開閉が容易に遂行されることができる。結論的に、本発明はアクティブ(Active)タイプの自家結紮ブラケットとパッシブ(Passive)タイプの自家結紮ブラケットの長所を共に具現することができる。
第三、本発明によれば、ブラケットの表面、例えばブラケットのわくと前面が丸い曲面構造であるので、口腔内で舌わだかまりなどのような異物感が最小化されることがあるし、ブラケットによる口腔内軟組織の損傷などの問題が最小化または防止されることがある。
第四、本発明によれば、矯正ワイヤをスロットの内側で押してくれるワイヤ結紮部材がブラケットカバーで分離(除去)されることができるので、矯正段階に合わせてワイヤ結紮部材がブラケットカバーに選択的に着脱されることができる。
五番目、本発明によれば、ブラケットの開閉のために一定水準以上の力がブラケットカバーに加えられる場合のみにブラケットの移動(開閉)がなされることができるので、ブラケットカバーの位置が閉鎖状態と開かれた状態でそれぞれ安定的に維持されることができる。
【図面の簡単な説明】
【００３２】
本発明の特徴及び長所は後述する本発明の実施形態に対する詳細な説明と共に、次に説明される図面を参考にしてよりよく理解されることができ、前記図面のうち：
【図１】本発明による歯列矯正用ブラケットの一実施例を示した斜視図である。
【図２】図１に示されたブラケットに矯正ワイヤが挟まれた状態を示した斜視図である。
【図３】図１に示されたブラケットの側面図である。
【図４】図１に示されたブラケットの分解斜視図である。
【図５】ブラケットカバーが開かれた状態のブラケットを示した斜視図である。
【図６】図１に示されたブラケットのブラケット胴体を示した斜視図である。
【図７】図１に示されたブラケットのブラケットカバーにワイヤ結紮部材が結合された状態を示した斜視図である。
【図８】図７に示されたブラケットカバーとワイヤ結紮部材の分解斜視図である。
【図９】図８に示されたワイヤ結紮部材の斜視図である。
【図１０】図１に示されたブラケットのスロットが開放された状態を示した側面図である。
【図１１】図１に示されたブラケットのスロットが閉まった状態を示した断面図である。
【図１２】図１に示されたブラケットのスロットが開かれた状態を概略的に示した断面図である。
【図１３】図６に示されたブラケット胴体の断面図である。
【発明の実施のための最善の形態】
【００３３】
以下、本発明の目的が具体的に実現することができる本発明の望ましい実施例らが添付された図面を参照して説明される。本実施例らを説明するにおいて、同一構成に対しては同一名称及び同一符号が使用されてこれによる付加的な説明は下記で省略される。
【００３４】
本明細書で使用される用語は、本発明の実施例を説明するために使用されたものであり、本発明を限定しようとする意図ではなくて、“第１”と“第２”などのように序数を含む用語は同一名称の構成要素らを説明する時これらを相互区分することに使用されることができるが、構成要素の数を定義するか、または限定するものではない。
【００３５】
そして、ある構成要素が他の構成要素に“連結されて”いるか“接続されて”いると言及された時には、その他の構成要素に直接的に連結されているか、または接続されていることもあるが、中間に他の構成要素が存在する連結関係、すなわち間接的に連結される関係も含むと理解されなければならないであろう。
【００３６】
本明細書で、“含む”または“有する”などの用語は、明細書上に記載された特徴、数字、段階、動作、構成要素、部品またはこれらを組み合わせたものが存在することを意味することであり、一つまたはその以上の他の特徴や数字、段階、動作、構成要素、部品またはこれらを組み合わせたものなどの存在、すなわち付加可能性を排除しないものとして理解されなければならない。
【００３７】
図１乃至図５を参照すれば、本発明の一実施例による歯科矯正用ブラケット(以下'ブラケット'と称する)は、矯正ワイヤ(Ｗ)の挿入のためのスロット(Slot)１０１が形成されたブラケット胴体１００と、前記ブラケット胴体に装着されて前記スロット１０１を開閉するブラケットカバー２００と、前記ブラケットカバーに具備されるワイヤ結紮部材３００とを含む。本実施例で前記ワイヤ結紮部材３００は、前記矯正ワイヤ(Ｗ)を前記スロット１０１に拘束するために前記スロット１０１を選択的に遮断する構成要素である。
【００３８】
前記ブラケットカバー２００は、前記ブラケット胴体１００に移動可能に具備されて前記スロット１０１の入口を開閉することができる。そして、前記ワイヤ結紮部材３００は、前記ブラケットカバー２００の内部で前記矯正ワイヤ(Ｗ)を拘束するため、前記スロット１０１を選択的に遮断することができる。この時、前記ワイヤ結紮部材３００は、前記ブラケットカバー２２０の内部に具備されて弾性を有することが良い。すなわち、前記ワイヤ結紮部材３００は前記矯正ワイヤ(Ｗ)を弾力的に加圧して矯正ワイヤをスロット１０１内に密着させることができる。前記ワイヤ結紮部材３００の材質は公知された自家結紮ブラケットのワイヤ結紮用材料が適用されることができるので限定されないが、人体に無害な材質、例えばNiTiなどのようなチタン合金やＳＳＴ(ステンレススチール)などのような金属材質や歯科用レジンなど多様な材質で製造されることができる。
【００３９】
本実施例で前記ワイヤ結紮部材３００は前記ブラケットカバー２００と一体で挙動し、前記ブラケットカバー２００が前記スロットを閉める時前記ブラケットカバー２００の内部で前記スロット１０１を遮断する。言い替えれば、前記ブラケットカバー２００は前記ワイヤ結紮部材３００の外側で前記スロットを開閉し、前記ブラケットが閉まれば前記ブラケットカバー２００と前記ワイヤ結紮部材３００が同時に共に前記スロット１０１を遮断する。反対に、前記ブラケットカバー２００が開かれて前記スロットを開放すれば、前記ワイヤ結紮部材３００もブラケットカバー２００と共に移動して前記スロット１０１の遮断を解除する。
【００４０】
前記ワイヤ結紮部材３００は、所定太さ以上の矯正ワイヤ(Ｗ)をスロット１０１の基底面(図３でスロットの底面)に密着させるために、前記スロット１０１を遮断して前記矯正ワイヤ(Ｗ)を前記スロット１０１の内側に加圧することができる。
【００４１】
本実施例で前記ワイヤ結紮部材３００はプレート(Plate)形状を有する弾性部材であり、前記ワイヤ結紮部材のワイヤ加圧部３１０が前記ブラケットカバー２００と共に前記スロット１０１を選択的に遮断することができる。
【００４２】
より具体的に説明すれば、前記ブラケットカバー２００は前記ブラケットカバー２００に移動可能に具備される。例えば、前記ブラケットカバー２００が前記ブラケット胴体１００に回転可能に連結されるか、またはスライディング可能に装着されることで、前記ブラケット胴体のスロット１０１を開閉することができる。
【００４３】
本実施例では前記ブラケットカバー２００が前記ブラケット胴体１００にスライディング移動可能に具備されて前記スロット１０１を開閉する。そして、前記ブラケット胴体１００は、前記ブラケットカバー２００を支持して前記ブラケットカバー２００のスライディング移動を案内する。
【００４４】
図４乃至図１０を参照すれば、前記ブラケット胴体１００は、前記ブラケットカバー２００が前記ブラケット胴体１００で前記ブラケット胴体１００の厚さ方向にはげることを防止することができる。言い替えれば、前記ブラケット胴体１００は、前記ブラケットカバー２００がスライディング移動中に前記ブラケット胴体１００で前記ブラケット胴体１００の厚さ方向(スライディング方向に垂直な方向)に分離されることを防止する。
【００４５】
このために、前記ブラケット胴体１００には、前記ブラケットカバー２００の移動を案内して前記ブラケットカバー２００が前記ブラケット胴体１００からはげることを防止するガイドレール１１０aが具備される。前記ガイドレール１１０aは、前記ブラケット胴体１００の両側に形成されることができる。前記ブラケットカバー２００のスライディング方向をＸ軸方向とする時、前記ブラケットカバー２００がブラケット胴体の両側ガイドレール１１０aに咬合された状態でスライディング移動することで、Ｘ軸方向に直交するＹ軸方向(例えば、厚さ方向)及び/またはＺ軸方向(例えば、幅方向)での離脱が防止されることができる。
【００４６】
前記ブラケット胴体１００は、前記スロット１０１を有するワイヤ支持体(Wire Supporter)１１０を含んで、前記ワイヤ支持体１１０の一側には歯面(歯牙表面、舌側面または舌/頬側面)に付着可能なベース１２０が具備される。したがって、前記ベース１２０の一側面(背面、図６では底面)は歯牙付着面を形成する。
【００４７】
前記ワイヤ支持体１１０は上述した矯正ワイヤ(Ｗ)が搭載される部分として、前記スロット１０１の一側壁を形成する第１胴体部１１１と、前記スロット１０１の他側壁を形成する第２胴体部１１２を含む。
【００４８】
前記第１胴体部１１１は前記ブラケットカバー２００によって覆われて前記ブラケットカバー２００を支持する。そして、前記第２胴体部１１２は前記第１胴体部１１１の反対側に具備され、上述したように前記スロット１０１の他側壁を形成する。
【００４９】
本実施例で前記第１胴体部１１１は、前記ブラケットカバー２００の位置を維持する少なくとも一つの係止部１１４ａ、１１４ｂを含む。前記係止部１１４ａ、１１４ｂは、前記ブラケットカバー２００の閉鎖状態と開かれた状態でそれぞれ前記ブラケットカバーの後退を制限するストッパ(Stopper)の機能をすることができて、本実施例では前記係止部１１４ａ、１４４ｂによって、前記ブラケットカバー２００が開閉状態で位置が維持されることができる。
【００５０】
前記係止部は、前記ブラケットカバー２００の閉鎖位置で前記ブラケットカバー２００の開放防止のために前記ブラケットカバー２００の後退を制限する第１係止部１１４ａを含む。そして前記係止部は、前記ブラケットカバー２００の開放位置で前記ブラケットカバー２００の後退を制限する第２係止部１１４ｂをさらに含むことができる。
【００５１】
したがって、前記第１係止部１１４ａによって前記ブラケットカバー２００の閉鎖状態が維持されることができるし、前記第２係止部１１４ｂによって前記ブラケットカバー２００の分離(ガイドレールからの抜け)が防止されることができるし、本実施例で前記第１係止部１１４ａと第２係止部１１４ｂによって前記ブラケットカバー２００が開き状態で位置が維持されることができる。すなわち、前記第１係止部１１４ａは、前記ブラケットカバー２００が開かれた状態で閉まることを防止することができるし、反対に閉まった状態では開かれることを防止する。
【００５２】
そして、上述したように前記ブラケットカバー２００とワイヤ結紮部材３００は一体に挙動して、本実施例で前記係止部１１４ａ、１１４ｂは、前記ワイヤ結紮部材３００をかけて前記ワイヤ結紮部材３００を媒介で前記ブラケットカバー２００に位置拘束力を加えることができる。言い替えれば、前記ブラケットカバー２００の位置は前記ワイヤ結紮部材３００を媒介にして間接的に拘束される。勿論、前記ブラケットカバーの位置維持のためのメカニズムが上述した例に限定されるものではなく、ブラケット胴体は公知されたブラケットの材料で製造可能なことが当然である。
【００５３】
図６乃至図１３を参照すれば、前記係止部１１４ａ、１１４ｂは、前記第１胴体部１１１の表面(前面、図１３で上側面)に前記ブラケットカバー２００に向けてふくらんでいる係止突起を形成することができる。本実施例で前記ワイヤ結紮部材３００は、前記矯正ワイヤ(Ｗ)を加圧する弾性結紮部材、例えば板スプリング構造になることができる。
【００５４】
より具体的に説明すれば、前記ワイヤ結紮部材３００、すなわち弾性結紮部材は、前記矯正ワイヤ(Ｗ)を加圧するためのワイヤ加圧部３１０と、前記係止部１１４ａ、１１４ｂにかかるように前記第１胴体部１１１に向けてそびえた弾性突出部３２０を含む。
【００５５】
本実施例では前記ワイヤ結紮部材３００の先端部が前記ワイヤ加圧部３１０の機能をし、前記スロット１０１を遮断して前記矯正ワイヤ(Ｗ)を前記スロット１０１の内側で加圧/密着させる。そして、前記弾性突出部３１０は、前記ブラケットカバー２００の開閉時に前記係止部、特に第１係止部１１４ａを越えることができるように、前記第１係止部１１４ａによって押されて弾性変形されることができる。
【００５６】
前記第１胴体部１１１と第２胴体部１１２は前記スロット１０１の基底面を形成する底胴体１１３に具備される。前記底胴体１１３は、前記第１胴体部１１１と第２胴体部１１２を連結しながら上述したように前記スロット１０１の基底面(図１３でスロットの底面)を形成する。そして、前記第１胴体部１１１と第２胴体部１１２は前記底胴体１１３から前方(図１３で上方)に突き出される。言い替えれば、前記底胴体１１３の一側(図１３で上側)には前記第１胴体部１１１と第２胴体部１１２が具備されて、前記底胴体１１３の他側には上述した歯牙付着面を成すベース１２０が具備される。
【００５７】
前記ブラケットカバー２００は、前記第１胴体部１１１の表面(前面、図１３で第１胴体部の上側面)すなわち、前記ベース１２０が形成される部分の反対側表面を覆うカバー本体２１０と、前記カバー本体２１０の両側でそれぞれ形成されて前記第１胴体部１１１の両側に具備されるカバーウイング２２０を含む。前記ブラケットカバー２００の材質で公知されたブラケットの材料が適用されることができるのでそれに対する詳細な説明は省略されることができるし、その種類が限定されないが人体に無害な材質、例えばジルコニアなどのようなセラミックス系列材料やNiTiとＳＳＴなどのような金属材質や歯科用レジンなど多様な材質で製造されることができるし、より具体的には硬質として堅い表面を形成することができるし、図面らに示されたもののように前記ワイヤ結紮部材３００を覆う。
【００５８】
本実施例で前記カバーウイング２２０は上述した底胴体１１３に向けて延長形成され、前記ガイドレール１１０aは前記第１胴体部１１１の両側に形成される。そして、前記カバーウイング２２０には前記ガイドレール１１０aに噛み合われるレール咬合部２２１が形成される。したがって、前記カバー本体とカバーウイングの内側にワイヤ結紮部材の設置及び第１胴体部の収容のための空間２３０が形成されることができる。
【００５９】
より具体的に説明すれば、前記ガイドレール１１０aは前記第１胴体部１１１の両側下端部、すなわち底胴体１１３との境界部分に形成され、前記レール咬合部２２１は前記カバーウイング２２０の下端部に形成されて前記ブラケットカバー２００の開閉時に前記ガイドレール１１０aに沿ってスライディング移動する。
【００６０】
前記ガイドレール１１０aとレール咬合部２２１のうちで何れか一つには溝形状が適用され、他の一つは突起形状が適用されることができる。本実施例では。前記ガイドレール１１０aが溝形状であり、前記レール咬合部２２１は前記ガイドレール１１０aに挟まれる突起形状として、前記ガイドレール１１０aは前記第１胴体部１１１の両側面、特に側面下端部に沿って前記ブラケットカバー２００のスライディング方向に長く形成されるレール溝を含む。
【００６１】
一方、本実施例に開示されるワイヤ結紮部材３００は屈曲された形状として、前記第１胴体部１１１の表面には前記ワイヤ結紮部材３００の移動空間１１４が形成される。前記ワイヤ結紮部材３００の移動空間１１４には前記係止部、例えば上述した係止突起形状の第１係止部１１４ａと第２係止部１１４ｂが突き出形成され、前記第１係止部１１４ａが第１係止突起になって第２係止部１１４ｂが第２係止突起になる。
【００６２】
前記第１係止部１１４ａは前記第２胴体部１１２と前記第２係止部１１４ｂとの間に形成される。すなわち、本実施例では前記スロット１０１の一側壁を形成する前記第１胴体部１１１の一側でその反対側である他側方向に行きながら前記第１係止部１１４ａと第２係止部１１４ｂが順に間隔を置いて形成される。
【００６３】
したがって、前記弾性突出部３２０が前記第１係止部１１４ａと第２係止部１１４ｂとの間領域に形成される固定溝１１４ｃに位置するようになれば、前記ブラケットカバー２００の開き状態が維持される。そして、前記弾性突出部３２０が前記第１係止部１１４ａを超えて前記第１係止部１１４ａの外側(第２係止部の反対側領域)に位置すれば、前記ブラケットカバー２００の閉鎖状態が維持されることができる。
【００６４】
本実施例のワイヤ結紮部材３００は波形(Wave Shape)で製造され、前記ワイヤ結紮部材３００の一部分が前記第１胴体部１１１に向けてふくらんでいる形状で撓めて上述した弾性突出部３２０を形成する。
【００６５】
前記ブラケットカバー２００の開閉のために前記ブラケットカバー２００のスライディング方向に一定水準以上の力が前記ブラケットカバー２００に加えられれば、前記弾性突出部３２０が前記第１係止部１１４ａを通過しながら前記第１係止部１１４ａによって押されて弾性変形され、前記第１係止部１１４ａを通過した後には原状に復元されながら前記第１係止部１１４ａの一側または他側にかかるようになる。
【００６６】
そして、前記ワイヤ結紮部材３００は前記弾性突出部３２０で前記第２胴体部１１２側に延長される区間を有して、この区間は前記ブラケットカバー２００より具体的にはカバー本体２１０に向けてふくらんでいるように撓めた形状の屈曲部３３０を有する。
【００６７】
前記ワイヤ結紮部材の弾性突出部３２０からスロット方向に延長される屈曲部３３０は、前記屈曲部の頂上(床部分)で前記第２胴体部１１２に向けて斜線方向に延長されるワイヤ加圧部３１０を形成し、前記ワイヤ結紮部材３００の先端で屈曲方向が転換される。例えば、前記ワイヤ結紮部材３００の先端が前記屈曲部３３０の反対方向にふくらんでいるように撓めるか、またはスロット１０１の基底面に並んで一定長さが延長された形状でベンディング(Bending)されることができる。勿論、前記ワイヤ結紮部材３００の形状が上述した例に限定されるものではないことは当然である。
【００６８】
前記ワイヤ結紮部材３００は上述したブラケットカバー２００の内側、より具体的には前記カバー本体２１０の内側に具備される。本実施例で前記ワイヤ結紮部材３００は前記カバー本体２１０の内側に結合される。前記ワイヤ結紮部材３００は前記ブラケットカバー２００に着脱可能に結合されることもできる。
【００６９】
例えば、前記ワイヤ結紮部材３００がネジなどの締結部材４００によって前記ブラケットカバー２００に固定されることができるし、前記ワイヤ結紮部材３００がネジによって前記カバー本体２１０に固定される場合、前記カバー本体２１０の内側にはネジホール２１１が形成される。そして、前記ワイヤ結紮部材にもネジ結合ホール３０１が形成される。勿論、前記ワイヤ結紮部材３００を前記ブラケットカバー２００に固定する方式に上述した例に限定されるものではないことは当然である。例えば、前記ブラケットカバーに前記ワイヤ結紮部材の組み立てのための組み立て溝が形成され、前記組み立て溝に前記ワイヤ結紮部材が圧嵌されることもでき、前記ワイヤ結紮部材が前記ブラケットカバーに接着方式で固定されることもでき、インサート射出方式や３Ｄプリンティング方式によって前記ブラケットカバーとワイヤ結紮部材が一体化されることもできるので、前記ワイヤ結紮部材が多様な方式によって前記ブラケットカバーに具備されることができる。
【００７０】
一方、前記スロット１０１の他側壁を形成する前記第２胴体部１１２の一側面は前記弾性結紮部材のワイヤ加圧部３１０が挟まれる結紮溝１１５を含むことができる。すなわち、前記ブラケットカバー２００が閉まれば前記ワイヤ加圧部３１０、より具体的には前記ワイヤ結紮部材３００の先端が前記結紮溝１１５に挿入される。
【００７１】
前記ブラケットカバー２００の表面は丸い曲面を成して、前記ブラケットカバー２００は前記スロット１０１を閉めて前記歯科矯正用ブラケットの表面を丸く曲面で形成した方が良い。より具体的に、前記ブラケットカバー２００が閉まれば前記歯科矯正用ブラケットのわくとベース反対側の表面がふくらんでいる丸い曲面、例えば、球形曲面または楕円体曲面などのように曲面構造を有する形状になることで、歯牙に付着された状態で舌わだかまりなどの異物感を最小化することができる。
【００７２】
本実施例の説明のための図面らには、ブラケット胴体１００の上側にブラケットカバー２００が結合される構造で図示されてベース１２０が横方向に表現されているが、実際では上述したブラケットが縦方向に立てられた状態、すなわちベース１２０が縦方向に歯牙に付着される。
【００７３】
したがって、前記ベース１２０の表面、すなわち歯牙付着面をブラケットの背面と称する時、前記ベース１１０の前方に上述したワイヤ支持体１１０が具備され、ワイヤ支持体１１０の前面、特に前記第１胴体部１１１の前面が前記ブラケットカバー２００によってカバーされる。
【００７４】
そして、上述したように前記ベース１２０の歯牙付着面をブラケットの背面と称する時、本実施例では前記ブラケットの前面とブラケットのわくが丸いふくらんでいる曲面を成す形状であり、前記ブラケットカバー２００が閉まれば前記ブラケットカバー２００の表面と第２胴体部１１２の表面が段差なく滑っこく連結される。勿論、前述したブラケットの外形が丸い曲面形状に限定されるものではないことは当然である。
【００７５】
以上のように本発明による実施例らを説明したし、前で説明された実施例ら以外にも本発明がその趣旨や範疇から脱することがなしに他の特定形態で具体化されることができるという事実は、該当技術に通常の知識を有した人々には自明なことである。
【００７６】
それで、上述した実施例は制限的なものではなく例示的なものとして思われなければならないし、これによって本発明は上述した説明に限定されないで添付された請求項の範疇及びその同等範囲内で変更されることもできる。
【産業上の利用可能性】
【００７７】
本発明は、歯科矯正装置に関するものであり、特に、矯正ワイヤを支持するブラケット(Bracket)と関連されて歯科矯正装置製造分野で利用されることができるし、矯正ワイヤの力を円滑に歯牙に伝達することができるし、ワイヤ結紮が容易な構造のブラケットを開示する。
【図１】
2021526392.tif 000003
【図２】
2021526392.tif 000004
【図３】
2021526392.tif 000005
【図４】
2021526392.tif 000006
【図５】
2021526392.tif 000007
【図６】
2021526392.tif 000008
【図７】
2021526392.tif 000009
【図８】
2021526392.tif 000010
【図９】
2021526392.tif 000011
【図１０】
2021526392.tif 000012
【図１１】
2021526392.tif 000013
【図１２】
2021526392.tif 000014
【図１３】
2021526392.tif 000015
【国際調査報告】
2021526392.tif 000016
2021526392.tif 000017
2021526392.tif 000018
2021526392.tif 000019